【手続補正書】
【提出日】令和1年6月10日(2019.6.10)
【手続補正１】
【補正対象書類名】特許請求の範囲
【補正対象項目名】全文
【補正方法】変更
【補正の内容】
【特許請求の範囲】
【請求項１】
燃料噴射弁（３０）を備える内燃機関（１１）に適用され、前記燃料噴射弁への通電に伴い弁体（３４）を開弁状態にして燃料噴射を行わせる燃料噴射制御装置（４０）であって、
前記弁体がフルリフト位置に到達しない通電時間で前記燃料噴射弁を開弁駆動するパーシャルリフト噴射を実施する噴射制御部と、
前記パーシャルリフト噴射が実施される場合において前記弁体の実際のリフト挙動を実リフト特性として取得する特性取得部と、
前記特性取得部により取得された前記実リフト特性と予め定めた基準特性とを比較し、その比較の結果に基づいて、前記パーシャルリフト噴射での燃料噴射量の補正を実施する燃料噴射補正部と、
を備え、
前記特性取得部は、前記パーシャルリフト噴射を実施するパーシャルリフト領域において所定の高流量域で前記パーシャルリフト噴射が実施される場合に、前記実リフト特性を取得し、
前記燃料噴射補正部は、前記高流量域よりも低流量の領域で前記パーシャルリフト噴射が実施される場合に、前記高流量域での前記パーシャルリフト噴射の実施時に取得された前記実リフト特性、又は前記高流量域での前記パーシャルリフト噴射の実施時に取得された前記実リフト特性と前記基準特性との比較結果に基づいて、噴射量補正を実施する内燃機関の燃料噴射制御装置。
【請求項２】
前記特性取得部は、前記実リフト特性として、前記燃料噴射弁の通電時間に対応付けて、前記燃料噴射弁に印加される印加電圧又は前記燃料噴射弁に流れる通電電流に基づき、前記燃料噴射弁への通電開始及び通電終了に伴う前記弁体のリフト挙動に応じたリフトパラメータを取得する請求項１に記載の内燃機関の燃料噴射制御装置。
【請求項３】
前記パーシャルリフト噴射が実施される場合において、前記燃料噴射弁への通電開始後に前記弁体がフルリフト位置に達したことを判定する判定部と、
前記判定部により前記弁体がフルリフト位置に達したと判定された場合に、前記特性取得部による前記実リフト特性の取得、及び前記燃料噴射補正部による噴射量補正のいずれかを無効とする無効部と、
を備える請求項１又は２に記載の内燃機関の燃料噴射制御装置。
【請求項４】
前記特性取得部は、前記実リフト特性として、前記燃料噴射弁の通電時間に対応付けて、前記燃料噴射弁への通電開始及び通電終了に伴う前記弁体のリフト挙動に応じたリフトパラメータを取得し、
前記燃料噴射補正部は、
前記パーシャルリフト噴射を実施するパーシャルリフト領域において前記通電時間と前記リフトパラメータとの関係を規定したリフト相関データを用い、今回のパーシャルリフト噴射での前記通電時間と前記特性取得部により取得した前記リフトパラメータとに基づいて、前記リフト相関データにおける前記基準特性に対する特性ズレを算出するズレ算出部と、
前記特性ズレに基づいて、噴射量補正を実施する補正実施部と、
を備える請求項１乃至３のいずれか１項に記載の内燃機関の燃料噴射制御装置。
【請求項５】
前記リフト相関データには、前記通電時間と前記リフトパラメータとの関係として、基準特性であるノミナル特性と、前記リフトパラメータが大きくなる側となる上限特性及び前記リフトパラメータが小さくなる側となる下限特性の少なくともいずれかである限界特性とが規定されており、
前記ズレ算出部は、前記特性ズレとして、前記ノミナル特性と前記限界特性との間における前記実リフト特性の位置に基づいて、前記ノミナル特性に対するズレ量比率を算出し、
前記補正実施部は、前記ズレ量比率に基づいて、噴射量補正を実施する請求項４に記載の内燃機関の燃料噴射制御装置。
【請求項６】
前記補正実施部は、前記パーシャルリフト領域において前記通電時間と噴射量との関係を規定した噴射量相関データを用い、前記特性ズレに基づいて、前記噴射量相関データにおける前記基準特性に対する前記通電時間のズレ幅を算出し、その通電時間ズレ幅に基づいて前記通電時間を補正することで、噴射量補正を実施する請求項４又は５に記載の内燃機関の燃料噴射制御装置。
【請求項７】
前記補正実施部は、前記パーシャルリフト領域において前記通電時間と噴射量との関係を規定した噴射量相関データを用い、前記特性ズレに基づいて、前記噴射量相関データにおける前記基準特性に対する前記噴射量のズレ幅を算出し、その噴射量ズレ幅に基づいて前記通電時間を補正することで、噴射量補正を実施する請求項４又は５に記載の内燃機関の燃料噴射制御装置。
【請求項８】
前記パーシャルリフト領域において前記通電時間と噴射量との関係を規定した噴射量相関データを用い、要求噴射量に応じて算出される通電時間により前記燃料噴射弁を駆動させる燃料噴射制御装置であって、
前記補正実施部は、前記噴射量相関データにおいて、前記特性ズレに基づいて、複数の噴射量での前記基準特性に対する前記通電時間のズレ幅をそれぞれ算出し、その複数の通電時間ズレ幅に基づいて前記噴射量相関データを更新することで、噴射量補正を実施する請求項４又は５に記載の内燃機関の燃料噴射制御装置。
【請求項９】
前記パーシャルリフト領域において前記通電時間と噴射量との関係を規定した噴射量相関データを用い、要求噴射量に応じて算出される通電時間により前記燃料噴射弁を駆動させる燃料噴射制御装置であって、
前記補正実施部は、前記噴射量相関データにおいて、前記特性ズレに基づいて、複数の通電時間での前記基準特性に対する前記噴射量のズレ幅をそれぞれ算出し、その複数の噴射量ズレ幅に基づいて前記噴射量相関データを更新することで、噴射量補正を実施する請求項４又は５に記載の内燃機関の燃料噴射制御装置。
【請求項１０】
燃料噴射弁（３０）を備える内燃機関（１１）に適用され、前記燃料噴射弁への通電に伴い弁体（３４）を開弁状態にして燃料噴射を行わせる燃料噴射制御装置（４０）であって、
前記弁体がフルリフト位置に到達しない通電時間で前記燃料噴射弁を開弁駆動するパーシャルリフト噴射を実施する噴射制御部と、
前記パーシャルリフト噴射が実施される場合において前記弁体の実際のリフト挙動を実リフト特性として取得する特性取得部と、
前記特性取得部により取得された前記実リフト特性と予め定めた基準特性とを比較し、その比較の結果に基づいて、前記パーシャルリフト噴射での燃料噴射量の補正を実施する燃料噴射補正部と、
を備え、
前記特性取得部は、前記実リフト特性として、前記燃料噴射弁の通電時間に対応付けて、前記燃料噴射弁への通電開始及び通電終了に伴う前記弁体のリフト挙動に応じたリフトパラメータを取得し、
前記燃料噴射補正部は、
前記パーシャルリフト噴射を実施するパーシャルリフト領域において前記通電時間と前記リフトパラメータとの関係を規定したリフト相関データを用い、今回のパーシャルリフト噴射での前記通電時間と前記特性取得部により取得した前記リフトパラメータとに基づいて、前記リフト相関データにおける前記基準特性に対する特性ズレを算出するズレ算出部と、
前記特性ズレに基づいて、噴射量補正を実施する補正実施部と、
を備える内燃機関の燃料噴射制御装置。
【請求項１１】
前記リフト相関データには、前記通電時間と前記リフトパラメータとの関係として、基準特性であるノミナル特性と、前記リフトパラメータが大きくなる側となる上限特性及び前記リフトパラメータが小さくなる側となる下限特性の少なくともいずれかである限界特性とが規定されており、
前記ズレ算出部は、前記特性ズレとして、前記ノミナル特性と前記限界特性との間における前記実リフト特性の位置に基づいて、前記ノミナル特性に対するズレ量比率を算出し、
前記補正実施部は、前記ズレ量比率に基づいて、噴射量補正を実施する請求項１０に記載の内燃機関の燃料噴射制御装置。
【請求項１２】
前記補正実施部は、前記パーシャルリフト領域において前記通電時間と噴射量との関係を規定した噴射量相関データを用い、前記特性ズレに基づいて、前記噴射量相関データにおける前記基準特性に対する前記通電時間のズレ幅を算出し、その通電時間ズレ幅に基づいて前記通電時間を補正することで、噴射量補正を実施する請求項１０又は１１に記載の内燃機関の燃料噴射制御装置。
【請求項１３】
前記補正実施部は、前記パーシャルリフト領域において前記通電時間と噴射量との関係を規定した噴射量相関データを用い、前記特性ズレに基づいて、前記噴射量相関データにおける前記基準特性に対する前記噴射量のズレ幅を算出し、その噴射量ズレ幅に基づいて前記通電時間を補正することで、噴射量補正を実施する請求項１０又は１１に記載の内燃機関の燃料噴射制御装置。
【請求項１４】
前記パーシャルリフト領域において前記通電時間と噴射量との関係を規定した噴射量相関データを用い、要求噴射量に応じて算出される通電時間により前記燃料噴射弁を駆動させる燃料噴射制御装置であって、
前記補正実施部は、前記噴射量相関データにおいて、前記特性ズレに基づいて、複数の噴射量での前記基準特性に対する前記通電時間のズレ幅をそれぞれ算出し、その複数の通電時間ズレ幅に基づいて前記噴射量相関データを更新することで、噴射量補正を実施する請求項１０又は１１に記載の内燃機関の燃料噴射制御装置。
【請求項１５】
前記パーシャルリフト領域において前記通電時間と噴射量との関係を規定した噴射量相関データを用い、要求噴射量に応じて算出される通電時間により前記燃料噴射弁を駆動させる燃料噴射制御装置であって、
前記補正実施部は、前記噴射量相関データにおいて、前記特性ズレに基づいて、複数の通電時間での前記基準特性に対する前記噴射量のズレ幅をそれぞれ算出し、その複数の噴射量ズレ幅に基づいて前記噴射量相関データを更新することで、噴射量補正を実施する請求項１０又は１１に記載の内燃機関の燃料噴射制御装置。